(57)【特許請求の範囲】
【請求項１】
シャンプーボウルと、前記シャンプーボウルの上面開口を塞ぐフードとを有し、前記フードが、フード本体と、該フード本体に取り付けられ、前記シャンプーボウルとの間における水封機能を備えており、自動洗髪時には被洗髪者の顔の大きさに応じて上下にスライドさせて使用されるフェイスシールとを備えた自動洗髪機において、前記フェイスシールのスライドを拘束する拘束機構と、該拘束機構に連動し、該フェイスシールの拘束をワンタッチで解除するワンタッチ操作子とを備え、
前記フードが、表側から順にスライダーカバー、スライダー、前記フード本体及び前記フェイスシールを連結して構成され、
前記スライダーが前記スライダーカバーに対してスライド可能であるとともに、前記スライダーカバーと前記フェイスシールとが一体となって前記フード本体に対してスライド可能であり、
前記スライダーカバーと前記スライダーとの間に前記フェイスシールのスライドを拘束する拘束機構が設けられていることを特徴とする自動洗髪機。
【請求項２】
前記拘束機構が、前記スライダーカバーに設けたテーパー溝と、前記スライダーに設けたテーパー突起とで構成されることを特徴とする請求項１に記載の自動洗髪機。
【請求項３】
前記スライダーがワンタッチ操作子カバーを備え、前記ワンタッチ操作子カバーの内側で前記スライダーがコイルばねにより下方に付勢され、前記スライダーがコイルばねにより下方に付勢された状態で、前記テーパー溝には前記スライダーに設けたテーパー突起が嵌合しないことでフェイスシールが拘束され、前記ワンタッチ操作子が前記スライダーに一体化されて、前記ワンタッチ操作子を押動すると、前記コイルばねの付勢力に抗して前記スライダーが上方に移動し、前記テーパー溝と前記テーパー突起とが嵌合して、フェイスシールのスライドの拘束が解除されることを特徴とする請求項２に記載の自動洗髪機。
【請求項４】
前記フードに、前記拘束機構が左右対称に複数設けられていることを特徴とする請求項１乃至３の何れか一項に記載の自動洗髪機。
【発明の詳細な説明】
【技術分野】
【０００１】
この発明は、例えば理美容院、福祉施設、病院等で使用される自動洗髪機に関する。
【背景技術】
【０００２】
一般に、被洗髪者の頭部及び髪を収めるシャンプーボウルの内側に、頭頂に向けて洗浄水を噴射する頭頂用ノズルリンク、及び襟足に向けて洗浄水を噴射する襟足用ノズルリンクを備えた自動洗髪機が知られている（例えば、特許文献１参照）。
この種のものでは、シャンプーボウルの上面開口を塞ぐフードを有し、該フードがフード本体と該フード本体に取り付けられたフェイスシールとを備え、被洗髪者がシャンプーボウルの内側に頭部及び髪を収めた後に、上記フードを閉めてフェイスシールで被洗髪者の顔脇を塞いだ状態で、洗浄水を噴射している。即ち、フェイスシールはシャンプーボウルとの間における水封機能を備えており、自動洗髪時には、被洗髪者の顔の大きさに応じて上下にスライドさせて使用される。
【先行技術文献】
【特許文献】
【０００３】
【特許文献１】特開平７−２３６５１１号公報
【発明の概要】
【発明が解決しようとする課題】
【０００４】
しかし、従来の構成では、フード本体に対し複数本のねじを用いてフェイスシールを取り付けており、フェイスシールをスライドする際には、複数本のねじを取り外し、フェイスシールをスライドさせた後に、フェイスシールを再びねじで止めており、フェイスシールの位置決めのためのスライド作業が困難という問題があった。
そこで、本発明の目的は、上述した従来の技術が有する課題を解消し、フェイスシールのスライド作業を簡易に行える自動洗髪機を提供することにある。
【課題を解決するための手段】
【０００５】
本発明は、シャンプーボウルと、前記シャンプーボウルの上面開口を塞ぐフードとを有し、前記フードが、フード本体と、該フード本体に取り付けられ、前記シャンプーボウルとの間における水封機能を備えており、自動洗髪時には被洗髪者の顔の大きさに応じて上下にスライドさせて使用されるフェイスシールとを備えた自動洗髪機において、前記フェイスシールのスライドを拘束する拘束機構と、該拘束機構に連動し、該フェイスシールの拘束をワンタッチで解除するワンタッチ操作子とを備え、前記フードが、表側から順にスライダーカバー、スライダー、前記フード本体及び前記フェイスシールを連結して構成され、前記スライダーが前記スライダーカバーに対してスライド可能であるとともに、前記スライダーカバーと前記フェイスシールとが一体となって前記フード本体に対してスライド可能であり、前記スライダーカバーと前記スライダーとの間に前記フェイスシールのスライドを拘束する拘束機構が設けられていることを特徴とする。
本発明では、ワンタッチ操作子を操作することで、これに連動して拘束機構が解除されるため、フェイスシールのスライドが可能になり、フェイスシールをスライドした後には、ワンタッチ操作子をもとに戻すと、フェイスシールのスライドが再び拘束されるため、その位置においてフェイスシールが停止し、これにより自動洗髪時には被洗髪者の顔の大きさに応じてフェイスシールを簡易にスライドできる。
【０００６】
前記フードが、スライダーカバー、スライダー、前記フード本体及び前記フェイスシールを連結して構成されるため、フードに対するフェイスシール支持構造が簡素化されると共に、前記スライダーカバーと前記スライダーとの間に前記フェイスシールのスライドを拘束する拘束機構が設けられれば、部品点数を少なくして、該フェイスシールの簡易なスライド機構を実現できる。
【０００７】
この場合において、前記拘束機構が、前記スライダーカバーに設けたテーパー溝と、前記スライダーに設けたテーパー突起とで構成されてもよい。
前記スライダーがワンタッチ操作子カバーを備え、前記ワンタッチ操作子カバーの内側で前記スライダーがコイルばねにより下方に付勢され、前記スライダーがコイルばねにより下方に付勢された状態で、前記テーパー溝には前記スライダーに設けたテーパー突起が嵌合しないことでフェイスシールが拘束され、前記ワンタッチ操作子が前記スライダーに一体化されて、前記ワンタッチ操作子を押動すると、前記コイルばねの付勢力に抗して前記スライダーが上方に移動し、前記テーパー溝と前記テーパー突起とが嵌合して、フェイスシールのスライドの拘束が解除されてもよい。
これらの構成では、スライダーカバー、スライダー、前記フード本体及び前記フェイスシールを連結することで、該フェイスシールの簡易なスライド機構を実現できるため、フード製造が容易になる。
また、前記フードに、前記拘束機構が左右対称に複数設けられていてもよい。
前記拘束機構が左右対称に複数設けられるため、フェイスシールの拘束時には左右均等に強固に拘束でき、拘束機構の離脱時には、フェイスシールの拘束を確実に解いて、スムーズな簡易なスライドを実現できる。
【発明の効果】
【０００８】
本発明では、ワンタッチ操作子を操作することで、これに連動して拘束機構が解除されるため、フェイスシールのスライドが可能になる。
フェイスシールをスライドした後には、ワンタッチ操作子による操作を解除するだけで、フェイスシールのスライドが再び拘束されるため、その位置においてフェイスシールが停止し、これにより自動洗髪時には被洗髪者の顔の大きさに応じてフェイスシールを簡易にスライドできる。
【図面の簡単な説明】
【０００９】
【図１】一実施形態にかかる自動洗髪機の内部構成を示す概略断面図である。
【図２】図１のシャンプーボウル部分の拡大図である。
【図３】自動洗髪機に使用する水の流れを示す水路図である。
【図４】シャンプーボウル部分の拡大図である。
【図５】Ａはシャンプーボウルの前壁内面を示す斜視図、Ｂは掛け金の側面図、Ｃは掛け金の正面図である。
【図６】フードの分解斜視図である。
【図７】スライダーカバーを裏面から見た斜視図である。
【図８】スライダーの正面図である。
【図９】Ａはフェイスシール固定時のフードの正面図、Ｂは断面図である。
【図１０】Ａはフェイスシールスライド時のフードの正面図、Ｂは断面図である。
【発明を実施するための形態】
【００１０】
以下、本発明の一実施の形態を、添付図面を参照して説明する。
図１において、１は自動洗髪機を示している。この自動洗髪機１は、被洗髪者の頭部を収容するためのシャンプーボウル２と、シャンプーボウル２を保持するシャンプーボウル保持台３と、シャンプーボウル保持台３の前方に配置され、被洗髪者が座るための椅子４と、椅子４を保持する椅子保持台５とを備えている。シャンプーボウル２は、図２に示すように、その上面に開口を有する碗状の部材である。シャンプーボウル２の前側には、仰向け姿勢の被洗髪者の首元を、シャンプーボウル２の内側に臨ませた状態にして、被洗髪者の後頭部を支える頭部支えネット７０が配置されている。また、シャンプーボウル２の前側の壁部２Ａには、椅子４に座った状態で被洗髪者が仰向けで、頭部支えネット７０に後頭部を載せた状態で、首を載せることができるネック台７が配置されている。
シャンプーボウル２の上面の開口は、フード８により覆うことができる。フード８は、その後端が連結部９を介してシャンプーボウル２の後端に連結されていて、連結部９を中心にして鉛直面内で回動可能となっている。洗髪時などには、フード８を開いた状態で、椅子４に座っている被洗髪者の首をネック台７に載せた後、フード８を閉じることにより、被洗髪者に頭部をシャンプーボウル２内に収容することができる。
【００１１】
シャンプーボウル２内には、被洗髪者の頭部および髪に向けて洗浄水（温水、シャンプー液が混入された温水、トリートメント液が混入された温水など）を噴射するための上ノズルリンク（頭頂用ノズルリンク）１１および下ノズルリンク（襟足用ノズルリンク）１２が配置されている。上ノズルリンク１１は、被洗髪者の頭部に沿うように、図示位置で上に凸の略円弧状に湾曲し、所定間隔でノズルを有する管状の部材であって、その左端部が回動可能に片持ち支持されており、被洗髪者の頭部に向かって洗浄水を噴射する。
下ノズルリンク１２は、後方に向かって洗浄水を噴射することにより、後方側に垂れ下がった被洗髪者の髪（想像線で示す。）を洗浄する。この下ノズルリンク１２は、被洗髪者の髪を囲うように、図示位置で左方に凸の略弓形状に湾曲し、所定間隔でノズルを有する管状の部材であって、その左端部が上ノズルリンク１１よりも下方で回転可能に片持ち支持されている。また、シャンプーボウル２内には、仰向け姿勢の被洗髪者の首元に向けて洗浄水を噴射する首元用ノズルリンク８０が配置されている。
【００１２】
上下ノズルリンク１１，１２、および首元用ノズルリンク８０には、それぞれ複数のノズルが備えられていて、洗髪時には、上下ノズルリンク１１，１２、および首元用ノズルリンク８０内に送られてきた洗浄水が各ノズルから噴射される。上下ノズルリンク１１，１２は回動し、首元用ノズルリンク８０は固定である。各ノズルから洗浄水を噴射することで、被洗髪者の頭部および髪の全体を洗浄できる。シャンプーボウル２内の後側上部には、ハンドシャワー１３が配置されている。オペレータ（美容院の従業員など）は、ハンドシャワー１３の右方に配置されたコック１４を回すことにより、ハンドシャワー１３から放水する水量を調節して、手動で洗髪できる。
【００１３】
自動洗髪機１で使用する水は、図３に示すように、機外の水道設備および給湯設備（図示せず）からミキシングバルブ１５および給水管１６を介して機内に供給される。ミキシングバルブ１５には、水道設備から水供給部１７を介して水が与えられるとともに、給湯設備から湯供給部１８を介して湯が与えられる。ミキシングバルブ１５は、水供給部１７および湯供給部１８から与えられる水および湯を混合し、温水にして給水管１６に送り出すためのものである。給水管１６内の途中部には、ミキシングバルブ１５から送り出される温水の温度を検知するためのサーミスタ１９が配置されている。サーミスタ１９の検知結果に基づいてモータ２０が駆動されることにより、ミキシングバルブ１５が開閉されて水と湯との混合割合が調整され、設定温度の温水が生成される。ミキシングバルブ１５は、モータ２０で調整される電動タイプである。モータ２０は、ＤＣモータまたは直流電動機であり、ブラシなどを備えている。
また、シャンプーボウル２の側方には、操作パネル６０（図２）が設けられており、設定温度は、オペレータ（ユーザ）が操作パネル６０を操作することにより決定される。給水管１６は、途中部（サーミスタ１９よりも下流側）からハンドシャワー用給水管２１と貯湯用給水管２２とに分岐している。ハンドシャワー用給水管２１は、コック１４によって開閉可能なハンドシャワー用バルブ２３を介してハンドシャワー１３に連通している。一方、貯湯用給水管２２は、給湯バルブとしての貯湯バルブ２４を介して貯湯タンク２５内に温水を供給することができる。
【００１４】
貯湯タンク２５の内部には、当該貯湯タンク２５に貯められている温水の水位を検知するための第１水位センサ２６および第２水位センサ２７が、上下方向に一定間隔を空けて配置されている。貯湯タンク２５内の温水が使用されて、所定の最低水位に達したことが第２水位センサ２７により検知された場合には、貯湯バルブ２４が開かれて、貯湯タンク２５内に温水が供給される。その後、貯湯タンク２５内の温水が所定の最高水位に達したことが第１水位センサ２６により検知されると、貯湯バルブ２４が閉じられて、温水の供給が停止する。このようにして、貯湯タンク２５内には、最低水位と最高水位との間で、常に温水が貯められた状態となっている。
【００１５】
貯湯タンク２５の上部（第１水位センサ２６よりも上方）には、第１水位センサ２６の故障などに起因して貯湯タンク２５内に最高水位以上の温水が供給された場合に、その余分な温水を貯湯タンクの外部に溢れ出させるための溢水口２８が形成されている。溢水口２８から溢れ出した温水は、オーバフロータンク２９によって受けられ、このオーバフロータンク２９に連通する排水管３０を通って機外に排出される。オーバフロータンク２９内にはオーバフローセンサ３１が配置され、たとえば排水管３０が詰まってオーバフロータンク２９内の水位が最高水位に到達したことがオーバフローセンサ３１によって検知された場合には、自動洗髪機１の運転が停止される。
【００１６】
貯湯タンク２５の最下部には、一端がメインポンプ３２に接続された吸込管３３の他端が接続されている。メインポンプ３２は、インバータ（図示せず）から交流電流が供給されることにより駆動され、吸込管３３を介して貯湯タンク２５内の温水を吸い込むものである。吸込管３３の途中には、シャンプー液が収容されたシャンプー容器３４に至るシャンプー供給管３５と、トリートメント液が収容されたトリートメント容器３６に至るトリートメント供給管３７とが接続されている。シャンプー供給管３５およびトリートメント供給管３７の途中部には、それぞれシャンプー用ポンプ３８およびトリートメント用ポンプ３９が備えられていて、シャンプー用ポンプ３８およびトリートメント用ポンプ３９の働きにより、吸込管３３内を通る温水に、シャンプー液およびトリートメント液の混入量を適度に調整することにより、メインポンプ３２には、そのとき使用すべき洗浄水が汲み込まれることとなる。
【００１７】
吸込管３３からメインポンプ３２内に吸い込まれた洗浄水は、複数（たとえば、４つ）の分路を有する送水管４０に送り出される。送水管４０内には、フィルタ４１が設けられていて、その下流側の５つの分路には、上ノズルバルブ４２、下ノズルバルブ４３、首元用ノズルバルブ７４、排水バルブ４４および予備バルブ４５の５つのバルブが設けられている。上ノズルバルブ４２、下ノズルバルブ４３、首元用ノズルバルブ７４、排水バルブ４４および予備バルブ４５が設けられた５つの分路には、それぞれ、分岐路４６，４７，７５，４８，４９が延設されている。上ノズルバルブ４２から延設された分岐路４６の終端は上ノズルリンク１１に接続され、下ノズルバルブ４３から延設された分岐路４７の終端は下ノズルリンク１２に接続され、首元用ノズルバルブ７４から延設された分岐路７５の終端は首元用ノズルリンク８０に接続される。
シャンプーボウル２の底面には、当該シャンプーボウル２内に水を排出するための排出口５０が形成されていて、この排出口５０は、逆流を防止するための排水トラップ５１を介して排水管３０に連通している。これにより、シャンプーボウル２の排水口５０から排出された水は、排水管３０を通って、機外に排水される。排水バルブ４４から延設された分岐路４８の終端は、排水トラップ５１に接続される。
【００１８】
図４は、フード８の概略構成図である。
フード８は、シャンプーボウル２の上面開口を塞ぐことが可能な剛性を持つ硬質樹脂製のフード本体８１と、フード本体８１に取り付けられた軟質樹脂製のフレキシブルなフェイスシール８３とを備えて構成されている。
フレキシブルなフェイスシール８３は、略Ｕ字状に切り欠かれており、その両縁部には所定幅の一対のシール部８３Ａ（図６参照）が延出し、シール部８３Ａの各先端部には、樹脂製板状の掛け板８５が取り付けられている。
図５Ａは、シャンプーボウル２の前壁内面を示す図である。
シャンプーボウル２の前壁部には上記ネック台７が配置され、その内側に上記頭部支えネット７０が配置されている。図２に示すように、椅子４に座った状態で被洗髪者が仰向けで、頭部支えネット７０に後頭部を載せ、ネック台７に首を載せる。ネック台７は上方にばね付勢され、被洗髪者の首の高さ及び後頭部の高さの差に応じて上下動自在に構成されている。本構成では、シャンプーボウル２の前壁内面２Ａに、左右一対の掛け金１０１が取り付けられている。掛け金１０１は、図５Ｂ及び図５Ｃに示すように、前壁内面２Ａに固定されるプレート１０１Ａと、プレート１０１Ａに固定された略Ｕ字状に曲がるフック１０１Ｂとを有し、前壁内面２Ａとフック１０１Ｂの隙間δ３に、上述した樹脂製板状の掛け板８５を差し込み可能に構成されている。隙間δ３の大きさは掛け板８５の厚さとほぼ等しく、掛け板８５が上方から差し込まれると、フック１０１Ｂが弾発して、掛け板８５が任意の位置で係止される。
【００１９】
シール部８３Ａは、図４に示すように、被洗髪者の額の生え際をシールして延び、耳の下に回って顔脇を塞いだ後に、掛け板８５を、前壁内面２Ａとフック１０１Ｂの間の隙間δ３に挿入することにより支持される。
シール部８３Ａの長さは余裕をみて長めに設定され、頭部支えネット７０から耳下までの高さＨが低い被洗髪者の場合には、耳下を経た後のシール部８３Ａに、上に凸の余裕分の湾曲部８３Ｂが大きく現れ、その反対に耳下までの高さＨが高い場合には、上に凸の余裕分の湾曲部８３Ｂが小さく現れる。
本実施の形態では、オペレータが、シール部８３Ａを被洗髪者の額に宛がい、耳下のラインに沿って配置した上で、掛け板８５を隙間δ３に挿入していくと、シール部８３Ａが耳に当たるまでシール部８３Ａが持ち上がり、シール部８３Ａが耳に当たったことを確認した時点で、掛け板８５の挿入動作を停止する。
この構成では、オペレータが、掛け板８５の差し込み深さを調整するだけの簡単な操作によって、シール部８３Ａを確実に耳に当てて、被洗髪者の顔の大きさに応じたフェイスシールを簡易に実現できる。
【００２０】
図６は、フード８の分解斜視図である。フード本体８１の裏側には上述したフェイスシール８３が配置され、その裏側に保持板８７が配置される。また、フード本体８１の表側にはスライダー８９が配置され、その表側にスライダーカバー９１が配置される。
図７は、スライダーカバー９１を裏から見た斜視図である。スライダーカバー９１は馬蹄形を有し、裏面にはスライダー８９が嵌り合う、スライダー８９と略相似形のスライダー受け溝９１Ａが形成されている。スライダー受け溝９１Ａの溝の深さｔは、スライダー８９の厚さに相当し、スライダー８９はスライダー受け溝９１Ａ内で上下方向にスライド可能である。スライダー受け溝９１Ａには、スライダー８９に設けたワンタッチ操作子カバー９５（図８）がぴったりと嵌合する開口９１Ｂが形成される。また、スライダー受け溝９１Ａには、４カ所にテーパー溝９１Ｃが形成され、各テーパー溝９１Ｃは同一形状であり、その深さは上に向けて徐々に深くなっている。さらに、スライダー受け溝９１Ａには、テーパー溝９１Ｃ間に位置して４カ所に縦長の貫通孔９１Ｄが形成されている。
【００２１】
スライダー８９は、図８に示すように、馬蹄形であり、ワンタッチ操作子カバー９５の内側を左右に貫通して設けられる。ワンタッチ操作子カバー９５の内側において、スライダー８９に設けたピン８９Ａは、カバー９５に設けた長孔９５Ａに嵌合し、スライダー８９全体が、３本のコイルばね９５Ｂにより、ワンタッチ操作子カバー９５の内側で矢印Ｘの方向に付勢されている。８９Ｂはワンタッチボタン（ワンタッチ操作子）であり、スライダー８９に一体的に形成されている。スライダー８９の表面には４カ所にテーパー突起８９Ｃが形成され、テーパー突起８９Ｃはスライダー受け溝９１Ａの４カ所のテーパー溝９１Ｃに対応し、テーパー突起８９Ｃの高さは上に向けて徐々に高くなる。また、テーパー突起８９Ｃ間に位置して４カ所にピン８９Ｄが一体形成され、ピン８９Ｄはスライダーカバー９１の対応する貫通孔９１Ｄに嵌合可能である。
【００２２】
スライダーカバー９１の裏面には、図７に示すように、略正三角形の頂点に位置する３カ所にボルト９２が植設され、各ボルト９２は、図６に示すように、フード本体８１に設けた対応する縦長のスリット８１Ａを貫通し、さらに対応するフェイスシール８３の孔８３Ｃ、及び保持板８７の孔８７Ａを貫通し、袋ナット９３に結合して組み立てられる。
図９及び図１０は、フード８の組み立て体を示す。
図９Ａは通常の状態を示しており、ワンタッチ操作子カバー９５の内側では、上述したように、３本のコイルばね９５Ｂにより、スライダー８９が下方に付勢されており、この状態では、図９Ｂに示すように、スライダー８９のテーパー突起８９Ｃは、スライダーカバー９１のテーパー溝９１Ｃに嵌合しない。
したがって、スライダーカバー９１の裏面でスライダー８９が図中右方に押圧される形となり、フード本体８１と、フェイスシール８３と、保持板８７とが隙間なく密着し、この密着によりフェイスシール８３が固定される。
【００２３】
ワンタッチボタン８９Ｂはスライダー８９に一体形成され、ワンタッチ操作子カバー９５の下方から突出し、該ワンタッチボタン８９Ｂを、矢印Ｙの方向に押圧すると、図１０Ａに示す状態となる。すなわち、ワンタッチボタン８９Ｂを押圧することで、スライダー８９が、３本のコイルばね９５Ｂの付勢力に抗して押し上げられ、図１０Ｂに示すように、スライダー８９のテーパー突起８９Ｃが、スライダーカバー９１のテーパー溝９１Ｃに嵌合する。したがって、スライダー８９が図中左方に移動し、フード本体８１と、フェイスシール８３と、保持板８７との間に隙間δ１，δ２が形成される。この隙間δ１，δ２によりフェイスシール８３が上下にスライド可能な状態となる。
スライダー８９のテーパー突起８９Ｃと、スライダーカバー９１のテーパー溝９１Ｃとの噛み合いが、本実施の形態による拘束機構を構成する。
【００２４】
本実施の形態では、ワンタッチボタン８９Ｂを手で押すことで、これに連動してスライダー８９のテーパー突起８９Ｃと、スライダーカバー９１のテーパー溝９１Ｃとが噛み合って、図１０Ｂに示すように、フード本体８１と、フェイスシール８３と、保持板８７との間に隙間δ１，δ２が形成され、フェイスシール８３の拘束が解除されるため、フェイスシール８３のスライドが可能になる。フェイスシール８３をスライドした後にはワンタッチボタン８９Ｂから手を離すと、コイルばね９５Ｂの付勢力によりスライダー８９が下方に付勢され、図９Ｂに示すように、スライダー８９のテーパー突起８９Ｃがスライダーカバー９１のテーパー溝９１Ｃから脱出し、フェイスシール８３のスライドが再び拘束されるため、その位置においてフェイスシール８３が停止し、これにより自動洗髪時には被洗髪者の顔の大きさに応じてフェイスシール８３を簡易にスライドできる。
【００２５】
テーパー突起８９Ｃ及びテーパー溝９１Ｃの組は、左右対称に４カ所に亘って配置されているため、図９Ｂの状態では、スライダー８９が４カ所で同時に押圧され、したがって、フェイスシール８３が強固に拘束され、図１０Ｂの状態では、テーパー突起８９Ｃ及びテーパー溝９１Ｃが、４カ所で同時に離脱し解除されるため、フェイスシール８３の拘束が一気に解除され、フェイスシール８３を簡易にスライドできる。また、フェイスシール８３をスライドさせるとき、スライダー８９に設けた４本のピン８９Ｄが、スライダーカバー９１の対応する貫通孔９１Ｄに嵌合し、ガイドとなるため、フェイスシール８３をスムーズにスライドさせることができる。
【符号の説明】
【００２６】
１  自動洗髪機
２  シャンプーボウル
８  フード
８１  フード本体
８３  フェイスシール
８７  保持板
８９  スライダー
８９Ｂ  ワンタッチボタン（ワンタッチ操作子）
８９Ｃ  テーパー突起（拘束機構）
９１  スライダーカバー
９１Ａ  スライダー受け溝
９１Ｃ  テーパー溝（拘束機構）
９５  ワンタッチ操作子カバー
【図１】
0005631615.tif 000002
【図２】
0005631615.tif 000003
【図３】
0005631615.tif 000004
【図４】
0005631615.tif 000005
【図５】
0005631615.tif 000006
【図６】
0005631615.tif 000007
【図７】
0005631615.tif 000008
【図８】
0005631615.tif 000009
【図９】
0005631615.tif 000010
【図１０】
0005631615.tif 000011